【手続補正書】
【提出日】平成20年9月25日(2008.9.25)
【手続補正１】
【補正対象書類名】特許請求の範囲
【補正対象項目名】全文
【補正方法】変更
【補正の内容】
【特許請求の範囲】
【請求項１】
ユーザ位置情報に基づいたブロードキャスト／マルチキャストサービス方法であって、
前記方法は、
コンテンツ提供者から所定のコンテンツを受信したブロードキャスト／マルチキャストサーバにより、サービス利用可能な地域情報を含むサービスガイドを１つ以上の端末に伝送することと、
前記サービスガイドから特定の端末のユーザにより選択された１つ以上のコンテンツに対するブロードキャスト／マルチキャスト要求メッセージを受信することと、
前記ブロードキャスト／マルチキャストサーバが前記特定の端末の位置追跡を実行することにより、前記ユーザにより選択されたコンテンツに対応する位置ベースのサービスを可能にした後に、前記特定の端末の現在位置に対応するコンテンツを前記特定の端末に伝送することと
を含む、方法。
【請求項２】
前記ブロードキャスト／マルチキャストサーバが、前記コンテンツ提供者から受信したコンテンツを各サービス利用可能な地域により分類することによって位置ベースのフィルタリングを実行し、前記分類されたコンテンツを格納するステップをさらに含む、請求項１に記載の方法。
【請求項３】
前記ユーザは、特定位置で受信しようとするコンテンツまたは現在位置で受信しようとするコンテンツを選択する、請求項１に記載の方法。
【請求項４】
前記端末の位置情報を確認するステップは、
前記ブロードキャスト／マルチキャストサーバがネットワークエンティティに位置追跡要求メッセージを伝送するステップと、
前記ブロードキャスト／マルチキャストサーバが位置追跡要求に対する応答メッセージを受信するステップであって、前記応答メッセージは、前記端末の位置追跡値を含む、ステップと
を含む、請求項１に記載の方法。
【請求項５】
前記位置追跡要求メッセージ、および対応する応答メッセージは、ＭＬＰ（Ｍｏｂｉｌｅ  Ｌｏｃａｔｉｏｎ  Ｐｒｏｔｏｃｏｌ）フォーマットを有する、請求項４に記載の方法。
【請求項６】
前記位置追跡要求メッセージを受信したネットワークエンティティが、対応する端末の位置情報を公開できるか否かを確認するステップと、
位置追跡に対するユーザの同意が必要な場合に、前記ネットワークエンティティが、ユーザに位置追跡の同意に関する通知メッセージを伝送し、対応する応答メッセージを受信するステップと、
前記ネットワークエンティティが、前記端末の位置追跡値を算出するステップと
をさらに含む、請求項４に記載の方法。
【請求項７】
ユーザ位置情報に基づいたブロードキャスト／マルチキャストサービス方法であって、
前記方法は、
コンテンツ提供者から所定のコンテンツを受信したブロードキャスト／マルチキャストサーバにより、サービス利用可能な地域情報を含むサービスガイドを１つ以上の端末に伝送することと、
前記サービスガイドから特定の端末のユーザにより選択された１つ以上のコンテンツに対するブロードキャスト／マルチキャスト要求メッセージを受信することと、
前記特定の端末から、前記特定の端末の現在位置情報を受信することと、
前記ブロードキャスト／マルチキャストサーバによる位置に基づいたフィルタリングに従って、前記特定の端末の現在位置に対応するコンテンツを前記特定の端末に伝送することと
を含む、方法。
【請求項８】
前記ブロードキャスト／マルチキャストサーバにより、前記コンテンツ提供者から受信したコンテンツを各サービス利用可能な地域により分類し、前記分類されたコンテンツを格納することをさらに含む、請求項７に記載の方法。
【請求項９】
前記ユーザは、特定位置で受信しようとするコンテンツまたは現在位置で受信しようとするコンテンツを選択する、請求項７に記載の方法。
【請求項１０】
前記端末から位置情報を受信するステップは、
前記端末により位置追跡要求メッセージをネットワークエンティティに伝送することと、
前記ネットワークエンティティから位置追跡要求に対する応答メッセージを受信することであって、前記応答メッセージは、前記端末の位置追跡値を含む、ことと、
前記端末により前記端末の現在位置情報を前記ブロードキャスト／マルチキャストサーバに伝送することと
を含む、請求項７に記載の方法。
【請求項１１】
前記位置追跡要求メッセージ、および対応する応答メッセージは、ＭＬＰ（Ｍｏｂｉｌｅ  Ｌｏｃａｔｉｏｎ  Ｐｒｏｔｏｃｏｌ）フォーマットを有する、請求項１０に記載の方法。
【請求項１２】
ユーザ位置情報に基づいてブロードキャスト／マルチキャストサービスを提供する方法であって、ブロードキャスト／マルチキャストサービスが少なくとも１つの端末に提供され、前記少なくとも１つの端末の各々は、同一のネットワークを介した伝送／受信を実行するクライアントモジュールを有し、
前記方法は、
１つ以上のコンテンツを受信したブロードキャスト／マルチキャストサーバにより、コンテンツ情報を含むサービスガイドを前記クライアントモジュールに伝送することと、
前記コンテンツ情報のうち特定の端末のユーザにより選択されたコンテンツに対するブロードキャスト／マルチキャスト要求メッセージを前記クライアントモジュールから受信することと、
前記ブロードキャスト／マルチキャストサーバにより、前記特定の端末に対する位置追跡要求メッセージをネットワークエンティティに伝送することと、
前記ネットワークエンティティから位置追跡要求に対する応答メッセージを受信することと、
前記ブロードキャスト／マルチキャストサーバによる位置ベースのフィルタリングに従って、前記特定の端末の位置情報に対応するコンテンツを伝送することと
を含む、方法。
【請求項１３】
前記ブロードキャスト／マルチキャストサーバにより、前記受信されたコンテンツから地域情報を確認することと、
前記コンテンツを各地域により分類および格納するか、または、前記受信されたコンテンツをそのまま格納することと
をさらに含む、請求項１２に記載の方法。
【請求項１４】
前記コンテンツ情報は、コンテンツのサービスが提供できる地域に関する地域情報を含む、請求項１２に記載の方法。
【請求項１５】
前記位置追跡要求メッセージ、および対応する応答メッセージは、ＭＬＰ（Ｍｏｂｉｌｅ  Ｌｏｃａｔｉｏｎ  Ｐｒｏｔｏｃｏｌ）フォーマットを有する、請求項１２に記載の方法。
【請求項１６】
前記クライアントモジュールは、
ブロードキャスト／マルチキャストサービスを要求または受信するブロードキャスト／マルチキャストクライアントモジュールと、
ユーザ位置情報を要求または受信する位置クライアントモジュールと
を含む、請求項１２に記載の方法。
【請求項１７】
前記位置追跡要求メッセージを受信したネットワークエンティティにより、前記特定の端末の位置情報を公開できるか否かを確認することと、
位置追跡に対してユーザの同意が必要な場合に、前記ユーザに位置追跡の同意に関する通知メッセージを伝送して、対応する応答メッセージを受信することと、
前記特定の端末の位置追跡値を算出することと
をさらに含む、請求項１２に記載の方法。
【請求項１８】
ユーザ位置情報に基づいてブロードキャスト／マルチキャストサービスを提供する方法であって、ブロードキャスト／マルチキャストサービスが少なくとも１つの端末に提供され、前記少なくとも１つの端末の各々は、同一のネットワークを介した伝送／受信を実行するクライアントモジュールを有し、
前記方法は、
前記クライアントモジュールにより、ブロードキャスト／マルチキャストサーバから１つ以上のコンテンツに関するコンテンツ情報を含むサービスガイドを受信することと、
前記コンテンツ情報のうち特定の端末のユーザにより選択されたコンテンツに対するブロードキャスト／マルチキャスト要求メッセージを前記ブロードキャスト／マルチキャストサーバに伝送することと、
前記クライアントモジュールにより、前記特定の端末に対する位置追跡要求メッセージをネットワークエンティティに伝送することと、
前記ネットワークエンティティから位置追跡要求に対する応答メッセージを受信することであって、前記応答メッセージは、位置追跡結果を含む、ことと、
前記クライアントモジュールにより、前記特定の端末の位置情報を前記ブロードキャスト／マルチキャストサーバに伝送することと、
位置ベースのフィルタリングを実行したブロードキャスト／マルチキャストサーバから、前記選択されたコンテンツのうち前記特定の端末の現在位置に対応するコンテンツを受信することと
を含む、方法。
【請求項１９】
前記ブロードキャスト／マルチキャストサーバにより、コンテンツ提供者から受信されたコンテンツをサービス利用可能地域により分類することをさらに含む、請求項１８に記載の方法。
【請求項２０】
前記ブロードキャスト／マルチキャストサーバは、コンテンツ提供者から受信されたコンテンツを格納し、対応する端末の現在位置情報に基づいて前記コンテンツを伝送する、請求項１８に記載の方法。
【請求項２１】
前記クライアントモジュールは、
ブロードキャスト／マルチキャストサービスを要求または受信するブロードキャスト／マルチキャストクライアントモジュールと、
ユーザ位置情報を要求または受信する位置クライアントモジュールと
を含む、請求項１８に記載の方法。
【請求項２２】
前記コンテンツ情報は、対応するコンテンツのサービスが提供できる地域に関する地域情報を含む、請求項１８に記載の方法。
【請求項２３】
前記位置追跡要求メッセージ、および対応する応答メッセージは、ＭＬＰ（Ｍｏｂｉｌｅ  Ｌｏｃａｔｉｏｎ  Ｐｒｏｔｏｃｏｌ）フォーマットを有する、請求項１８に記載の方法。
【請求項２４】
端末によりブロードキャスト／マルチキャストサービスを受信する方法であって、
前記方法は、
ネットワークからサービスガイドを受信することであって、前記サービスガイドは、ブロードキャスト／マルチキャストサービスに関連するコンテンツのユーザ選択を可能にするためのサービス利用可能地域情報を含む、ことと、
ユーザが選択したコンテンツを受信するための要求を前記ネットワークに伝送することと
前記ネットワークによって処理された前記ユーザが選択したコンテンツを受信することと
を含み、
前記ユーザが選択したコンテンツは、前記ユーザが選択したコンテンツに対応するサービスの位置ベースのフィルタリグを可能にするための前記端末の位置追跡を実行したブロードキャスト／マルチキャストサーバを有するネットワークにおいて処理されている、方法。
【請求項２５】
前記受信されたユーザが選択したコンテンツは、ネットワークエンティティと協働して前記端末に関する位置情報を処理するときに、前記ブロードキャスト／マルチキャストサーバによりフィルタリングされている、請求項２４に記載の方法。
【請求項２６】
前記受信されたユーザが選択したコンテンツは、コンテンツ提供者に接続されたネットワークエンティティを用いて前記端末の位置追跡を実行するときに、前記ブロードキャスト／マルチキャストサーバによりフィルタリングされている、請求項２４に記載の方法。
【請求項２７】
前記ネットワークにおいて実行される位置追跡は、ＭＬＰ（Ｍｏｂｉｌｅ  Ｌｏｃａｔｉｏｎ  Ｐｒｏｔｏｃｏｌ）フォーマットに基づいたメッセージの交換を含む、請求項２４に記載の方法。
【請求項２８】
前記受信されたサービスガイドは、ブロードキャスト地域と、ターゲット地域と、水平方向の正確度と、地理上の地域の形状と、国家コードと、地政学上の地域名と、郵便番号と、サービス地域と、サービスリストと、端末ＩＤと、ユーザ設定と、所有要素と、アプリケーション特有の要素とを含む情報の群のうちの少なくとも１つに関連する情報を含む、請求項２４に記載の方法。